(57)【要約】【課題】  糸屑フィルタの異物除去が容易な洗濯を提供すること。【解決手段】  筐体と、前記筐体内に防振支持される外槽と、前記外槽内に回転自在に支持される回転槽と、前記回転槽を回転駆動させるモータと、前記外槽から機外に排水を行う排水経路と、前記排水経路の中途に設けられた異物を捕集する異物捕集部と、を備え、前記異物捕集部は、異物を捕集する複数の突起部を備え、前記異物捕集部は、異物を除去するシートを備える。【選択図】  図１３
2018153374.tif 000002
【特許請求の範囲】
【請求項１】
筐体と、
前記筐体内に防振支持される外槽と、
前記外槽内に回転自在に支持される回転槽と、
前記回転槽を回転駆動させるモータと、
前記外槽から機外に排水を行う排水経路と、
前記排水経路の中途に設けられた異物を捕集する異物捕集部と、を備え、
前記異物捕集部は、異物を捕集する複数の突起部を備え、
前記異物捕集部は、異物を除去するシートを備えることを特徴とする洗濯機。
【請求項２】
請求項１に記載の洗濯機であって、
前記シートは突起部の底面に密着させるシートを備えることを特徴とする洗濯機。
【請求項３】
請求項１に記載の洗濯機であって、
前記シートを突起部より剥がせることを特徴とする洗濯機。
【請求項４】
請求項１に記載の洗濯機であって、
前記シートに取っ手を備えることを特徴とする洗濯機。
【請求項５】
請求項１に記載の洗濯機であって、
前記取っ手に穴を備えないことを特徴とする洗濯機。
【請求項６】
請求項１に記載の洗濯機であって、
前記シートの穴径と前記異物捕集部の穴径を揃えることを特徴とする洗濯機。
【請求項７】
請求項１に記載の洗濯機であって、
前記シートに開口を有するスリット形状を備えることを特徴とする洗濯機。
【発明の詳細な説明】
【技術分野】
【０００１】
本発明は、衣類等の洗濯を行う洗濯機に関する。
【背景技術】
【０００２】
従来、洗濯機には、洗濯物から排出される糸屑を捕集するフィルタが設けられている。このフィルタ部分では、糸屑が容易に除去できるよう格子または突起に糸屑を絡めて捕集する構成になっている。
【０００３】
除去する構成の例として特許文献１のように、格子形状のフィルタ内面に沿って矩形の通水性シートを装着し、格子に糸屑が絡み付くことを防ぎ、通水性シートを除去することにより、容易に糸屑が除去可能である部品がある。
【０００４】
また、捕集する構成の例として特許文献２のように流入する異物質を突起に係止させて、捕集している部品がある。
【先行技術文献】
【特許文献】
【０００５】
【特許文献１】特開２０１６−０２７２９８号公報
【特許文献２】特表２０１０−５２６６３７号公報
【発明の概要】
【発明が解決しようとする課題】
【０００６】
しかしながら、特許文献１の構成では、格子形状のフィルタ内面に沿って装着する矩形の通水性シートの固定が不安定であり、前記通水性シートが運転中にフィルタ内面より剥がれることで、格子に糸屑が絡み付き、清掃性が低下する虞がある。また、前記通水性シートの矩形部分に糸屑が絡み付き、目詰まりを起こすことで、捕集率が低下する虞がある。
【０００７】
特許文献２の構成では、突起に絡まった異物質が蓄積していくと、突起の根元部分に蓄積された異物質が容易に除去しにくくなる虞がある。
【０００８】
そこで、本発明の目的は、糸屑フィルタの異物除去が容易な洗濯を提供することである。
【課題を解決するための手段】
【０００９】
前記の課題を解決するために、本発明は、突起形状のフィルタに、根元の糸屑を容易に除去可能なシートを備えた洗濯機である。
【発明の効果】
【００１０】
本発明によれば、糸屑フィルタの異物除去が容易な洗濯を提供することご可能となる。
【図面の簡単な説明】
【００１１】
【図１】本発明に係る洗濯乾燥機を示す外観斜視図である。
【図２】本発明に係る洗濯乾燥機の筐体の内部構造を概略的に示す側面図である。
【図３】本発明に係る洗濯乾燥機の筺体の内部構造を概略的に示す背面図である。
【図４】洗濯乾燥機の第１循環ポンプおよび周辺流路を示す斜視図である。
【図５】フィルタケース２３の周辺の別の角度から見た構成である。
【図６】異物捕集部２３１の構成を示す。
【図７】図５のＡＡ’断面図を示す。
【図８】(ａ)は異物捕集部２３１を側面から見た図、図８の(ｂ)は異物捕集部２３１を上面から見た図である。
【図９】図６のＢＢ’断面図を示す
【図１０】(ａ)は異物捕集部２３１を上面から見た図、(ｂ)は異物捕集部２３１を側面から見た図である。
【図１１】異物捕集部２３１の別例の拡大図を示す。
【図１２】実施例２係る異物捕集部２３１の構成を示す。
【図１３】異物捕集部２３１とシート９０の構成を示す。
【図１４】シート９０の別例を示す。
【図１５】シート９０の取付け状態を示す。
【図１６】図１４(a)の平面図である。
【発明を実施するための形態】
【００１２】
次に、本発明の実施形態のドラム式洗濯乾燥機（洗濯乾燥機）について、適宜図面を参照しながら詳細に説明する。なお、以下の説明における前後上下左右の方向は、図１に示す前後上下左右の方向を基準とする。
【実施例１】
【００１３】
図１は、本実施例に係る洗濯乾燥機を示す外観斜視図である。
【００１４】
図１に示すように、洗濯乾燥機Ｓは、外郭を構成する筺体１を備えている。この筺体１は、左右の側板１ａ，１ｂ、前面カバー１ｃ、背面カバー１ｄ（図２参照）、上面カバー１ｅ、前面下カバー１ｆおよびベース１ｈによって構成されている。また、筺体１は、左右の側板１ａ，１ｂが、コの字型の上補強材（不図示）、前補強材（不図示）、後補強材（不図示）で結合しており、ベース１ｈを含めて箱形状を呈している。
【００１５】
前面カバー１ｃの略中央には、洗濯物を出し入れするための投入口を塞ぐドア９が設けられている。また、前面カバー１ｃの上部中央には、電源スイッチ３９、操作スイッチ１３，１５、表示器１４などを備えた操作パネル６が設けられている。この操作パネル６は、筐体１の下部に設けた制御装置６０（図２参照）と電気的に接続されている。
【００１６】
図２は、本実施例の洗濯乾燥機の筐体の内部構造を概略的に示す側面図である。
【００１７】
図２に示すように、洗濯乾燥機Ｓは、筐体１と、この筐体１内に防振支持される外槽２と、外槽２内に回転自在に支持される回転ドラム３と、回転ドラム３を回転駆動させるドラムモータ４（図３参照）と、送風ユニット５１と、送風ユニット５１で生成された風（温風）を回転ドラム３内に吹き出す入口となる吹出口５２と、洗剤液を回転ドラム３内に供給する第１洗剤液供給手段５３と、吹出口５２の上流側に洗剤液を供給する第２洗剤液供給手段（洗剤液供給手段）５４と、吹出口５２の上流側に水道水（清水）を供給する水道水供給手段５５（不図示）と、制御装置６０と、を備えて構成されている。なお、洗剤液供給手段５３、５４は高濃度洗剤液を供給してもよい。高濃度洗剤液とは、洗い工程における洗剤液の濃度よりも高い濃度（例えば、８倍）の洗剤液を意味している。
【００１８】
外槽２は、円筒形状を呈し、回転ドラム３を同軸上に内包し、前面が開口している。前面の開口部には、外槽２内への貯水を可能にする外槽カバー２ｄが設けられている。また、外槽２の下側は、ベース１ｈに固定されたダンパ５で防振支持されている。また、外槽２（外槽カバー２ｄ）の開口部には、ゴム製のベローズ１０が設けられ、ドア９を閉じることで外槽２を水封する。
【００１９】
回転ドラム３は、回転可能に支持された円筒状の洗濯兼脱水槽であり、その外周壁および底壁に通水および通風のための多数の貫通孔（図示省略）を有し、前側端面には、洗濯物を出し入れするための開口部３ａが設けられている。開口部３ａの外周側には、回転ドラム３と一体に回転する流体バランサ３ｃが設けられている。また、回転ドラム３の内周壁には、洗濯物を持ち上げるリフタ３ｂが設けられている。また、回転ドラム３の回転中心軸は、水平又は開口部３ａ側が高くなるように傾斜している。
【００２０】
送風ユニット５１は、送風機５１ａ、ヒータ５１ｂを備えて構成され、筺体１内の補強材（不図示）に固定されている。送風機５１ａは、駆動用のモータ２４ａ（ファンモータ）、ファン羽根車２４ｂ（不図示）、ファンケース２４ｃで構成されている。ファンケース２４ｃにはヒータ５１ｂが内蔵されており、ファン羽根車２４ｂから送られる空気を加熱する。ヒータ５１ｂは、ＰＴＣ（Positive Temperature Coefficient）ヒータなどで構成されている。
【００２１】
送風ユニット５１の吐出口５１ｃは温風ダクト２６に接続されている。温風ダクト２６は、ゴム製の蛇腹管２７に接続され、蛇腹管２７が蛇腹管継手２８を介して外槽カバー２ｄに設けた吹出口５２に接続されている。
【００２２】
第１洗剤液供給手段５３は、第１循環ポンプ５３ａと、この第１循環ポンプ５３ａによって汲み上げられた洗剤液を回転ドラム３内にシャワー状に供給する蛇腹ホース５３ｂ１および供給流路５３ｂ２（一部図示省略）と、を備えて構成されている。
【００２３】
第２洗剤液供給手段５４は、第２循環ポンプ５４ａと、この第２循環ポンプ５４ａによって汲み上げられた洗剤液を吹出口５２の上流側に供給する供給管５４ｂと、を備えて構成されている。第２循環ポンプ５４ａは、第１循環ポンプ５３ａよりも低流量の高濃度洗剤液を汲み上げるものである。供給管５４ｂは、供給管５３ｂよりも小径の流路によって構成されている。なお、本実施例において、洗剤液供給手段として、第２洗剤液供給手段５４は必ずしも必要ではなく、第１洗剤液供給手段５３の一つで構成されてもよい。
【００２４】
筐体１の背面内側には、乾燥ダクト２９が配置されている。この乾燥ダクト２９は、外槽２の後部に設けた吸気口にゴム製の蛇腹ホース２９ａを介して接続されている。乾燥ダクト２９内には、公知の水冷除湿機構（図示せず）が内蔵されている。なお、ヒータ、水冷除湿機構の代わりにヒートポンプを用いてもよい。
【００２５】
排水ホース１９は、第１循環ポンプ５３ａの出水ポートにその一端が接続され、その他端側が機外に延出している。また、排水ホース１９には、機内での延在途中に排水弁２５が設けられている。
【００２６】
図３は、本実施例の洗濯乾燥機の筐体の内部構造を概略的に示す背面図である。
【００２７】
図３に示すように、外槽２の側面後部には、外槽２内へ水や洗剤類を供給する給水口２ａが設けられている。給水口２ａは、洗剤トレイ７（図１参照）と、ゴム製の蛇腹ホース１７で接続されている。
【００２８】
ドラムモータ４は、外槽２の後側端面の外側中央に取り付けられている。ドラムモータ４の回転軸は、外槽２を貫通し、回転ドラム３と結合している。
【００２９】
外槽２の上側後部には、給水電磁弁１１、風呂水吸水ポンプ１２、水位センサ３４（不図示）等の給水関連部品が設けられている。上面カバー１ｅには、水道栓からの給水ホース接続口１１ａ、風呂の残り湯の吸水ホース接続口１２ａが設けられている。水位センサ（不図示）は、外槽２内の水位を検出するものであり、外槽２の後部端面の最下部に設けられ、公知のエアトラップ（不図示）やチューブ（不図示）によって構成されている。
【００３０】
給水電磁弁１１は、主給水電磁弁１１ｂ、仕上剤給水電磁弁１１ｃ、冷却水給水電磁弁１１ｄ、ミスト給水電磁弁１１ｅなどを備えている。
【００３１】
主給水電磁弁１１ｂは、給水ホース接続口１１ａからの水道水を、洗剤トレイ７（図１参照）の洗剤投入室（図示せず）に通して、外槽２に給水する。洗剤投入室に給水された水道水は、投入された洗剤とともに、蛇腹ホース１７を介して、外槽２内に注水される。
【００３２】
仕上剤給水電磁弁１１ｃは、給水ホース接続口１１ａからの水道水を、図示しない給水経路を通って、洗剤トレイ７（図１参照）の仕上剤投入室（図示せず）に給水する。仕上剤投入室に注水された水道水は、投入された仕上剤（ソフナー）とともに、蛇腹ホース１７を介して、外槽２内に注水される。
【００３３】
冷却水給水電磁弁１１ｄは、給水ホース接続口１１ａからの水道水を、図示しない給水経路を通って、乾燥ダクト２９の水冷除湿機構（図示せず）に給水する。
【００３４】
ミスト給水電磁弁１１ｅは、給水ホース接続口１１ａからの水道水を、給水管５５ａ（不図示）を通って、吹出口５２（図２参照）の上流側に給水する。
【００３５】
図４は、洗濯乾燥機のフィルタケース２３および周辺流路を示す斜視図である。図４に示すように、第１循環ポンプ５３ａは、フィルタケース２３と一体に形成されるケーシング４２と、循環ポンプモータ４７とを備えて構成されている。ケーシング４２には、吐出ポート４４，４５などが形成されている。また、ホース２２は排水口（不図示）に接続されている。
【００３６】
吐出ポート４５は、蛇腹ホース４０を介して継手１８ａに接続されている。この継手１８ａは、外槽２の底部の窪み部２ｆに臨むように形成された流入口１８に設けられている。フィルタケース２３は、外槽２からの水を排水口（不図示）までに排水する排水経路の中途に設けられているとともに、循環ポンプモータ４７の循環経路の中途に設けられている。
【００３７】
図５にフィルタケース２３の周辺の別の角度から見た構成を示す。図６は、フィルタケース２３内の異物捕集部２３１の構成を示す。糸くずやリントなどの異物を捕集する異物捕集部２３１は、底面から複数の突起部７０を備える。これら突起部７０に異物が絡まることにより、異物を効率的に捕集することが出来る。また、突起部７０に絡まった異物は、突起部７０の先端方向に向かって取り除けばよいので、簡便に異物を清掃することが出来、清掃性が向上する。
【００３８】
図７は、図５のＡＡ’断面図を示す。外槽２から流れてきた水は、フィルタケース２３内を通過する。通過した水は、排水ホース２２を介して排水、または循環ポンプモータ４７で循環される。この際、流れてきた水は、フィルタケース２３内を必ず通過するため、回転ドラム３の外側から出て来るリントも捕集出来る。なお、図７において、紙面手前側から奥側に向かって水が循環穴４７１を介して循環される。
【００３９】
ここで、突起部７０の高さが同じで、突起部７０の配置する密度が高い場合、図８のイメージに示すように、突起部７０の先端にリントが乗っかって、フィルタケース２３内のリント詰まりが生じるおそれがある。ここで、図８の(ａ)は異物捕集部２３１を側面から見た図、図８の(ｂ)は異物捕集部２３１を上面から見た図である。
【００４０】
そこで、異物捕集部２３１の斜視図である図６(a)、異物捕集部２３１を上から見た図である図６(b)や、図６のＢＢ’断面図を示す図９（但し、フィルタケース２３も図示）に示すように、本実施例では、異物捕集部２３１の外側の領域である外周領域７１１に配置された第１の高さ７１ｈを有する第１の突起部７１と、異物捕集部２３１の内側の領域である内側領域７２１に配置された第１の高さよりも低い第２の高さ７２ｈを有する第２の突起部７２を備えている。これにより、第２の突起部７２が配置されている異物捕集部２３１の内側の領域に、リントがたまる。そのイメージを図１０に示す。図１０の(ａ)は異物捕集部２３１を上面から見た図、図１０の(ｂ)は異物捕集部２３１を側面から見た図である。このようにして、配管のつまりを抑制することが出来る。
【００４１】
なお、第２の突起部７２の存在により捕集性能が上がるが、第２の突起部７２は無くても構わない。
【００４２】
図１１に異物捕集部２３１の別例の拡大図を示す。外周に補強用の補強リブ８０を設けている。また、補強リブ８０に水抜きのためのスリット形状を設けている。これにより、異物捕集部２３１の水抜きが出来る。さらに、水抜き形状は、例えば丸い穴ではなく、上側に開口８２を有するスリット形状８１であるため、複数のスリット形状の間で異物が絡まった場合、突起部７０に絡まった異物と一緒の方向に取り除くことが出来、清掃性の低下を抑えることが出来る。
【００４３】
また、第１の突起部７１の内、異物捕集部２３１の先端側に高さが低い突起７１ａを有している。これにより、ユーザがフィルタケース２３を取り付ける際に、間違った方向に取り付けないように、誤組を抑制することが可能となる。
【００４４】
以上本実施例によれば、異物捕集部２３１は、複数の突起部７０を備えることで、異物を効率的に捕集することが出来る。
【００４５】
また、異物捕集部２３１の外周領域７１１に配置された第１の高さ７１ｈを有する第１の突起部７１と、異物捕集部２３１の内側領域７２１に配置された第１の高さよりも低い第２の高さ７２ｈを有する第２の突起部７２を備えることで、配管つまりの抑制とともに、捕集性能を確保することが出来る。
【００４６】
また、外周に補強用の補強リブ８０を設けることで、異物捕集部２３１の強度を確保することが出来る。
【００４７】
また、補強リブ８０に開口８２を有するスリット形状８１を設けることで、清掃性の低下を抑えることが出来る。
【００４８】
また、第１の突起部７１の内、異物捕集部２３１の先端側に高さが低い突起７１ａを設けることで、誤組を抑制することが可能となる。
【実施例２】
【００４９】
次に、図１２に実施例２係る異物捕集部２３１の構成を示す。図１２は異物捕集部２３１を上面から見た図である。図６等と異なる点は、外側領域７１１と内側領域７２１の突起７０の配置される密度が異なる点である。
【００５０】
外側領域７１１における第１の突起部７１の配置される密度は、内側領域７２１における第２の突起部７２が配置される密度よりも高い。すなわち、外側領域７１１における第１の突起部７１が配置されている間隔（各第１の突起部７１間の距離）は、内側領域７２１における第２の突起部７２が配置されている間隔（各第２の突起部７２間の距離）よりも短い。
【００５１】
本実施例によれば、密度が疎である第２の突起部７２で配管のつまりを抑制すると共に、密である第１の突起部７１により捕集性が向上する。
【００５２】
なお、突起部７０の配置パターンは図６，１２等で示したように千鳥状としたが、本発明はこれに限られず、例えば、格子状の配置としてもよい。
【実施例３】
【００５３】
次に、図１３に実施例３係る異物捕集部２３１とシート９０の構成を示す。
【００５４】
異物捕集部２３１に糸くずが蓄積すると、異物捕集部２３１の突起部７０の根元の糸くずが取れにくくなる。そのため、突起部７０の底面に取り外し可能なシート９０を取付ける。そして、このシート９０を突起部７０より上方に向かって剥がすことで、根元の糸くずを簡便に除去することが出来る。ここで、穴９０aは突起部７０にはめ込む穴である。これら穴９０aの径を突起部７０の根元の径と揃えることで、シート９０と突起部７０の底面の間に異物が浸入することを防ぐ。また、取っ手９０bは、シート９０を突起部７０より剥がす際に用いる持ち手である。これにより、取っ手９０をつかむことで、力が入りやすくなり、シート９０を突起部７０より簡便に剥がすことが出来る。また、取っ手９０bを手でつまむ構造としているのは、図１４に示すような、指をかける用の穴９０cを備えてしまうと、指をかける用の穴９０cに異物が絡まり、清掃性の悪化を招くためである。
【００５５】
図１５(a)は異物捕集部２３１にシート９０を取付けた状態の図である。図１５(a)のＡＡ’断面を示す図１５(b)に示すように、本実施例ではシート９０は突起部７０の根元への異物の浸入を防ぐ為、突起部７０の底面に密着させて取付ける。これにより、シートを取り外した後に突起部７０の根元に糸くずが残ることを防ぐ。
【００５６】
図１６は図１４(a)の平面図である。補強リブ９０ｄに設けられた水抜き用のスリットに合わせ、シート９０にもスリット形状９０eを設けている。これにより、補強リブ９０ｄに設けられた水抜き用のスリットを塞ぐことなく、水抜きができる。また、シート９０の９０eに丸い穴ではなく、上部に開口部９０ｆを設けることで、異物がシート９０に絡まることを防ぐ。
【００５７】
また、シート９０は取り外しが出来るため、汚れが気になる場合はシート９０単品でお手入れすることが出来る。
【００５８】
本本実施例によれば、異物捕集部２３１の異物を容易に除去することが可能となる清掃性の高い洗濯機を提供することが可能となる。
【００５９】
上記実施例は、ドラム式洗濯乾燥機を例に説明したが、本発明は、タテ型洗濯機にも適用でき、また、乾燥機能も必須ではない。また、循環ポンプの無い洗濯機にも適用できる。
【図１】
2018153374.tif 000003
【図２】
2018153374.tif 000004
【図３】
2018153374.tif 000005
【図４】
2018153374.tif 000006
【図５】
2018153374.tif 000007
【図６】
2018153374.tif 000008
【図７】
2018153374.tif 000009
【図８】
2018153374.tif 000010
【図９】
2018153374.tif 000011
【図１０】
2018153374.tif 000012
【図１１】
2018153374.tif 000013
【図１２】
2018153374.tif 000014
【図１３】
2018153374.tif 000015
【図１４】
2018153374.tif 000016
【図１５】
2018153374.tif 000017
【図１６】
2018153374.tif 000018